(57)【要約】      （修正有）【課題】壁等に貼っても跡が残らない再剥離性吸着シート及びそれを用いたカレンダーを提供する。【解決手段】シート状の部材とその部材に多孔質構造を有する吸着部材を固着させ、一部にホワイトボードマーカーによるメモ、記号などを書けるスペースを設ける。【選択図】図１
0003181139.tif 000002
【実用新案登録請求の範囲】
【請求項１】
シート状の部材とその部材に多孔質構造を有する吸着部材を固着させたことを特徴とする再剥離性吸着シート。
【請求項２】
少なくとも一部にホワイトボード様の機能を有することを特徴とする、請求項１に記載の再剥離性吸着シート。
【請求項３】
カレンダーである請求項１又は請求項２に記載の再剥離性吸着シート。
【請求項４】
大きさが日本工業規格A4〜A1のサイズである請求項１ないし請求項３のいずれか１項に記載の再剥離性吸着シート。
【請求項５】
請求項１ないし４のいずれか１項に記載の再剥離性吸着シートを複数枚積層された構造を有する再剥離性吸着シート積層体。
【請求項６】
再剥離性吸着シート積層体がカレンダーである請求項５の再剥離性吸着シート積層体。
【考案の詳細な説明】
【技術分野】
【０００１】
本考案は、再剥離性吸着シートそれを用いたカレンダーに関する。
【背景技術】
【０００２】
従来、再剥離可能な粘着シートとしては、付箋紙が使われている。しかしながら、付箋紙では大型化が困難で、また、粘着剤が壁等に残存するという問題があった。特に賃貸マンション等では付箋紙を壁に貼ると跡が残る場合もあり、壁に貼りにくいという問題もあった。
そこで、壁に貼っても跡が残らない吸着性シートが求められていた。
【０００３】
また、カレンダーは通常、上部に吊り下げ用の金具等が取り付けられており、フック等を壁等に取り付けてぶら下げる形の物が主に用いられている。
しかしながら、マンション等ではねじ式のフックを差し込んだり、粘着剤でフックを貼りつけることが禁止されている場合が多く、カレンダーを吊り下げにくいという問題があった。
【０００４】
フックの無いカレンダーとしては、小型の付箋紙があるが（特許文献１）、粘着剤が付着することからマンション等では壁に貼ることはできない場合があった。
【０００５】
卓上型カレンダーにあっては、従来タイプが設置場所を自由に移動できるなどの利便性がある反面、書類の移動の激しいデスク上では、場所が移動しやすく、また設置空間と視野内空間がデットスペースになりやすい性質があった。
そこで、壁等に跡を残さないで貼れるカレンダーが求められていた。
【先行技術文献】
【特許文献】
【０００６】
【特許文献１】実用新案登録第３０８０７１４号公報
【考案の概要】
【考案が解決しようとする課題】
【０００７】
解決しようとする問題点は、壁等に貼っても跡が残らない再剥離性吸着シート及びそれを用いたカレンダーを提供することである。
【課題を解決するための手段】
【０００８】
本考案によれば以下の考案が提供される。
（１）シート状の部材とその部材に多孔質構造を有する吸着部材を固着させたことを特徴とする再剥離性吸着シート。シート状の部材としては、紙、プラスチック樹脂等があげられるがこれらに限られず、シート状部材であれば特に制限されない。多孔質構造を有する吸着部材は、0.3〜0.7ｇ/cm3の密度を有するアクリル発泡材で、吸着力は0.5〜５N／２０ｍｍが好ましく用いられる。かかる吸着部材を用いることで、吸着と剥離を容易に繰り返すことができる。シートに吸着部材を固着させる方法としては、例えば、粘着性の接着剤や両面テープ等が用いられるが、これに限られない。
【０００９】
（２）少なくとも一部にホワイトボード様の機能を有する（１）の再剥離性吸着シート。ホワイトボード様の機能とは、ホワイトボードはもちろん、他の色のボード、例えばブラックボードやグリーンボード等も含む。要するに、表面に字を書ける色であればあらゆる色のボードを含む意味である。
（３）カレンダーである（１）又は（２）に記載の再剥離性吸着シート。カレンダーは目的に応じて、１年分、３カ月分、４カ月分等に分割して印刷することができる。１年分以外は複数枚に渡って印刷され、積層され、前記吸着部材により貼り合わせて提供される。
【００１０】
（４）大きさが日本工業規格A4〜A1のサイズである（１）ないし（３）のいずれかに記載の再剥離性吸着シート。A規格以外のB4等も含まれ、A4よりも大きく、A1よりも小さいサイズが全て含まれる趣旨である。
（５）（１）ないし（４）のいずれか１に記載の再剥離性吸着シートを複数枚積層された構造を有する再剥離性吸着シート積層体。ここで再剥離性吸着シート積層体とは、再剥離性吸着シートが少なくとも２枚以上積層され吸着された構造体を言う。好ましくは同じ大きさで重ねて積層するが、異なる大きさ、形の再剥離性吸着シートを積層してもよい。カレンダーの場合は、最低２枚〜最高１２枚が典型的であるが、１３枚以上を積層した構造であってもよい。
（６）再剥離性吸着シート積層体がカレンダーである（５）の再剥離性吸着シート積層体。
【考案の効果】
【００１１】
本考案によれば、壁等に繰り返し貼ってはがしても、糊残りを起さないので、貼った相手を汚す心配がなく、安心して貼り直しもできる。また再剥離性吸着シートを積層しても簡単に貼ってはがせる効果を有する。
【図面の簡単な説明】
【００１２】
【図１】図１は本考案のホワイトボード付カレンダーを示した説明図である。（実施例１）
【図２】図２はシート裏側の吸着部材の貼り付け方を示した図である。（実施例１）
【図３】図３は本考案の積層したカレンダーの図である。（実施例２）
【図４】図４は積層する場合の吸着部材の貼り付け方を示した図である。（実施例２）
【考案を実施するための形態】
【００１３】
カレンダーは、12ヶ月表示の1枚物タイプをのぞき、2枚物の6ヶ月表示。3枚物の4ヶ月表示、6枚物の2ヶ月表示、12枚物の1ヶ月表示にあっては、紙数を積層するための技術が不可欠な技術要素となる。多くの場合、大型タイプにあっては、金物による圧迫積層、上部上端部の吸着・粘着塗工による圧着とミシン目加工等の技術によって、この目的を達成できる。
本稿案では、再剥離性吸着シート技術により、積層時の固定を可能にし、さらに、不要ページをはがすときに、スムーズな剥離を可能にすることで、従来の加工上の製造工数の減少、製造部品点数の減少、製造資材容量の減少などの、メリットを創出することが可能である。
また、完成品において、結合部などの無駄なスペースを作る必要がないので、使用時に、よりコンパクトな掲示が可能となっている。
【実施例１】
【００１４】
図１は本考案の実施形態の１つである、再剥離性吸着シートを用いたカレンダーの構造を示す。シート上部に６カ月分のカレンダーが印刷されており、その下部はホワイトボードとしてホワイトボードマーカーによるメモ、記号などを書けるスペースとなっている。
【００１５】
１は、主として壁面などの掲示の際に、吸着部材を示している。
吸着部材の貼り方としては、制作者のニーズ、用途により、例えば、図２のA-1からA-4までのような配置方法が可能であるがこれらに限られない。
【００１６】
落下防止の観点から、再剥離性吸着シートを結合させる際には、1枚物の場合、吸着シート全体に対する吸着部材の面積比率で3％〜15％の再剥離性吸着部材を必要とする。
【００１７】
また、積層タイプの場合は積層重量分を勘案し、余裕を見て5％〜50％の結合面積を持つ吸着部材を最背面部に結合する必要がある。より好ましくは、５％〜１５％である。
【００１８】
ただし、壁面などの被着体は、平滑で、比較的強固な構造を想定しており、和紙などの柔らかい壁紙、塗り壁など表面部の塗膜が極端に弱い壁面、凹凸の大きい布上の壁紙などの場合は、ユーザーによる落下テスト確認後使用することが好ましい。
【００１９】
図１の２は、通常壁掛け使用時に3mm〜5mmの貫通口を必要とする部分で、貫通口周辺とその上部は、強度およびフックなどの突起物を想定して、デザインすることが出来ない部分である。本考案によればこの部分にも印刷可能であるので目立つ場所に広告等を掲載することができるという利点がある。
【実施例２】
【００２０】
図３及び図４は複数枚のシートを積層したカレンダーを示す。図３の５は、積層タイプのカレンダーにあって、積層結合を必要とする部分で、通常は金物、接着台紙、リング金物によって、印刷が制限される領域である。本考案は、再剥離性吸着シートであるので、２の部分に自由なデザインを行う事が可能であり、また、金具などにより不要な面積をとられることもない。
【００２１】
図４は、積層タイプにおいて吸着部材を結合させる部分を示し、図４のＤ１は、積層時の状態を側面より観察した状態を図示している。また、Ｄ-2は各積層の接合状態を示したものである。
この接合方法により、ユーザーは、今までと同じような月めくりの動作で、積層をはがすことが出来、違和感を感じさせないことが可能となる。
また、一度はがした積層シートの一部は、吸着部材によって、元に戻すことも、個別に別の場所に貼ることも可能となる。
【産業上の利用可能性】
【００２２】
本考案によれば、壁に跡をつけずに貼り付けられるカレンダーやホワイトボードが提供され、カレンダー産業やホワイトボード産業、教育産業等に利用できる。
【符号の説明】
【００２３】
１    吸着部材
２    壁掛け手段設置部
３    カレンダー
４    ホワイトボード
５    積層構造部
【図１】
0003181139.tif 000003
【図２】
0003181139.tif 000004
【図３】
0003181139.tif 000005
【図４】
0003181139.tif 000006
【手続補正書】
【提出日】平成24年11月16日(2012.11.16)
【手続補正１】
【補正対象書類名】実用新案登録請求の範囲
【補正対象項目名】請求項２
【補正方法】変更
【補正の内容】
【請求項２】
少なくとも一部に、ホワイトボードマーカーによるメモ、記号などを書けるスペースを設けたことを特徴とする請求項１に記載の再剥離性吸着シート。